(57)【要約】  本発明にかかる移動通信システム（９）は、マクロセルを管理する第１の無線基地局（９１）と、マクロセルに含まれるスモールセルを管理する第２の無線基地局（９２）と、移動端末からのサービスの確立要求に応じて、マクロセルにおいて、移動端末と第１の無線基地局（９１）との間でサービスを確立するサービス確立制御を行うサービス確立制御部（９３）を備える。サービス確立制御部（９３）は、移動端末から確立要求されたサービスが特定サービスである場合には、移動端末の第１の無線基地局（９１）から第２の無線基地局（９２）へのハンドオーバ制御を行ってから、スモールセルにおいて、移動端末と第２の無線基地局（９２）との間でサービスを確立するサービス確立制御を行う。
2014013646.tif 000002
【特許請求の範囲】
【請求項１】
第１のセルを管理する第１の無線基地局と、
前記第１のセルに含まれる第２のセルを管理する第２の無線基地局と、
移動端末からのサービスの確立要求に応じて、前記第１のセルにおいて、前記移動端末と前記第１の無線基地局との間でサービスを確立するサービス確立制御を行うサービス確立制御手段と、
を備え、
前記サービス確立制御手段は、前記移動端末から確立要求されたサービスが特定サービスである場合には、前記移動端末の前記第１の無線基地局から前記第２の無線基地局へのハンドオーバ制御を行ってから、前記第２のセルにおいて、前記移動端末と前記第２の無線基地局との間でサービスを確立するサービス確立制御を行う、
移動通信システム。
【請求項２】
前記移動通信システムは、さらに、前記特定サービスを示す特定サービス情報が格納される記憶手段を備え、
前記サービス確立制御手段は、前記移動端末から確立要求されたサービスが特定サービスであるか否かを、前記移動端末から確立要求されたサービスを示す特定サービス情報が前記記憶手段に格納されているか否かによって判定する、
請求項１に記載の移動通信システム。
【請求項３】
前記記憶手段は、さらに、前記特定サービスを示す前記特定サービス情報と関連付けられ、当該特定サービスの提供エリアである前記第２のセルを示すセル情報が格納され、
前記サービス確立制御手段は、前記移動端末から確立要求されたサービスを示す前記特定サービス情報が前記記憶手段に格納されており、かつ、当該特定サービス情報に関連付けられた前記セル情報が示す第２のセルに、前記移動端末がハンドオーバ可能である場合、前記ハンドオーバ制御を行ってから、前記サービス確立制御を行う、
請求項２に記載の移動通信システム。
【請求項４】
前記第１のセルは、前記第２のセルが複数含まれ、
前記移動通信システムは、それぞれが、前記複数の第２のセルのそれぞれを管理するように、前記第２の無線基地局を複数備え、
前記記憶手段は、それぞれが、前記複数の第２のセルのそれぞれを示すように、前記セル情報が複数格納され、
前記特定サービス情報は、１つ以上の前記セル情報と関連付けられ、
前記サービス確立制御手段は、前記移動端末から確立要求されたサービスを示す特定サービス情報に関連付けられた前記セル情報が複数ある場合、当該複数の前記セル情報が示す前記複数の第２のセルのうち、無線品質が所定品質以上である前記第２のセルを管理する第２の無線基地局から、前記ハンドオーバ制御におけるハンドオーバ先の第２の無線基地局を決定する、
請求項３項に記載の移動通信システム。
【請求項５】
前記サービス確立制御手段は、前記無線品質が所定品質以上である前記第２のセルのうち、予め定められた優先度の最も高い前記第２のセル、負荷状況の最も低い前記第２のセル、又は、ランダムに決定した前記第２のセルによって管理される第２の無線基地局を、前記ハンドオーバ先の第２の無線基地局として決定する、
請求項４に記載の移動通信システム。
【請求項６】
前記移動通信システムは、さらに、前記記憶手段及び前記サービス確立制御手段を有するコアネットワークノードを備え、
前記サービス確立制御手段は、前記サービス確立制御として、前記サービスの確立を要求するサービス確立要求情報を前記第１の無線基地局に送信するとともに、前記移動端末から確立要求されたサービスが特定サービスである場合には、前記サービス確立制御として、前記サービス確立要求情報を前記第２の無線基地局に送信し、
前記第１の無線基地局は、前記サービス確立制御手段からのサービス確立要求情報に応じて、前記第１のセルにおいて、前記移動端末との間でサービスを確立し、
前記第２の無線基地局は、前記サービス確立制御手段からのサービス確立要求情報に応じて、前記第２のセルにおいて、前記移動端末との間でサービスを確立する、
請求項２乃至５のいずれか１項に記載の移動通信システム。
【請求項７】
前記第１の無線基地局は、前記記憶手段及び前記サービス確立制御手段を有し、
前記サービス確立制御手段は、前記サービス確立制御として、前記第１のセルにおいて、前記移動端末との間でサービスを確立するとともに、前記移動端末から確立要求されたサービスが特定サービスである場合には、前記サービス確立制御として、前記第２の無線基地局に対して前記サービスの確立を要求するサービス確立要求情報を送信させるためのサービス未確立通知情報をコアネットワークノードに送信し、
前記第２の無線基地局は、前記コアネットワークノードからのサービス確立要求情報に応じて、前記第２のセルにおいて、前記移動端末との間でサービスを確立する、
請求項２乃至５のいずれか１項に記載の移動通信システム。
【請求項８】
移動端末からのサービスの確立要求に応じて、第１の無線基地局によって管理される第１のセルにおいて、前記移動端末と前記第１の無線基地局との間でサービスを確立するサービス確立制御を行うサービス確立制御手段を備え、
前記サービス確立制御手段は、前記移動端末から確立要求されたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行う、
無線局。
【請求項９】
移動端末からのサービスの確立要求を受け、
第１の無線基地局によって管理される第１のセルにおいて、前記移動端末と前記第１の無線基地局との間でサービスを確立するサービス確立制御を行い、
前記サービス確立制御を行うときに、前記移動端末から確立要求を受けたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行う、
移動通信制御方法。
【請求項１０】
移動端末からのサービスの確立要求を受ける処理と、
第１の無線基地局によって管理される第１のセルにおいて、前記移動端末と前記第１の無線基地局との間でサービスを確立するサービス確立制御を行う処理と、をコンピュータに実行させ、
前記サービス確立制御を行う処理では、前記移動端末から確立要求を受けたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行う、
移動通信制御プログラムが格納された非一時的なコンピュータ可読媒体。
【発明の詳細な説明】
【技術分野】
【０００１】
本発明は、移動通信システム、無線局、移動通信制御方法、及び移動通信制御プログラムが格納された非一時的なコンピュータ可読媒体に関し、特に、マクロセルからスモールセルへとハンドオーバさせる技術に関する。
【背景技術】
【０００２】
近年、通常の無線基地局が管理するマクロセルにオーバーレイする形で、小型の無線基地局が管理するセルが配置されるように、異種サイズのセルが混在するネットワーク構成の無線通信ネットワーク（「ヘテロジニアスネットワーク」と呼ばれる）についての検討が進められている（例えば、特許文献１）。
【先行技術文献】
【特許文献】
【０００３】
【特許文献１】特開２０１１−９１６２９号公報
【発明の概要】
【発明が解決しようとする課題】
【０００４】
ここで、移動端末と無線基地局の間で確立するサービスとして、特定の移動端末に対しては、その移動端末から無線基地局に、広帯域を占有したベアラ（通信チャネル）を確立する特定サービスを提供することも考えられる。しかしながら、このような広帯域を占有する特定サービスを提供する場合、特定サービスの確立によってセルの容量を圧迫してしまい、他の移動端末がサービスを確立しにくくなってしまう等の影響を与えてしまうことがあるという課題がある。【０００５】
本発明の目的は、上述したような課題を解決するために、移動端末による特定サービスの確立によって、他の移動端末に対して影響を与えないようにすることができる移動通信システム、無線局、移動通信制御方法、及び移動通信制御プログラムを提供することである。
【課題を解決するための手段】
【０００６】
本発明の第１の態様にかかる移動通信システムは、第１のセルを管理する第１の無線基地局と、前記第１のセルに含まれる第２のセルを管理する第２の無線基地局と、移動端末からのサービスの確立要求に応じて、前記第１のセルにおいて、前記移動端末と前記第１の無線基地局との間でサービスを確立するサービス確立制御を行うサービス確立制御部と、を備え、前記サービス確立制御部は、前記移動端末から確立要求されたサービスが特定サービスである場合には、前記移動端末の前記第１の無線基地局から前記第２の無線基地局へのハンドオーバ制御を行ってから、前記第２のセルにおいて、前記移動端末と前記第２の無線基地局との間でサービスを確立するサービス確立制御を行うものである。【０００７】
本発明の第２の態様にかかる無線局は、移動端末からのサービスの確立要求に応じて、第１の無線基地局によって管理される第１のセルにおいて、前記移動端末と前記第１の無線基地局との間でサービスを確立するサービス確立制御を行うサービス確立制御部を備え、前記サービス確立制御部は、前記移動端末から確立要求されたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行うものである。【０００８】
本発明の第３の態様にかかる移動通信制御方法は、移動端末からのサービスの確立要求を受け、第１の無線基地局によって管理される第１のセルにおいて、前記移動端末と前記第１の無線基地局との間でサービスを確立するサービス確立制御を行い、前記サービス確立制御を行うときに、前記移動端末から確立要求を受けたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行うものである。【０００９】
本発明の第４の態様にかかる移動通信制御プログラムは、移動端末からのサービスの確立要求を受ける処理と、第１の無線基地局によって管理される第１のセルにおいて、前記移動端末と前記第１の無線基地局との間でサービスを確立するサービス確立制御を行う処理と、をコンピュータに実行させ、前記サービス確立制御を行う処理では、前記移動端末から確立要求を受けたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行うものである。
【発明の効果】
【００１０】
上述した本発明の各態様によれば、移動端末による特定サービスの確立によって、他の移動端末に対して影響を与えないようにすることができる移動通信システム、無線局、移動通信制御方法、及び移動通信制御プログラムを提供することができる。
【図面の簡単な説明】
【００１１】
【図１】本発明の実施の形態１にかかる移動通信システムの構成を示す概念図である。
【図２】本発明の実施の形態１にかかるマクロセルを管理する無線基地局の構成を示すブロック図である。
【図３】本発明の実施の形態１にかかるスモールセルを管理する無線基地局の構成を示すブロック図である。
【図４】本発明の実施の形態１にかかるコアネットワークノードの構成を示すブロック図である。
【図５】本発明の実施の形態１にかかる移動通信システムの処理を示すフローチャートである。
【図６】本発明の実施の形態１にかかる移動通信システムの動作（特定サービスである場合）を示すシーケンス図である。
【図７】本発明の実施の形態１にかかる移動通信システムの動作（特定サービスである場合）時の概念図である。
【図８】本発明の実施の形態１にかかる移動通信システムの動作（特定サービスでない場合）を示すシーケンス図である。
【図９】本発明の実施の形態２にかかるコアネットワークノードに関する処理を示すフローチャートである。
【図１０】本発明の実施の形態２にかかる無線基地局に関する処理を示すフローチャートである。
【図１１】本発明の実施の形態２にかかる移動通信システムの動作（特定サービスである場合）を示すシーケンス図である。
【図１２】本発明の実施の形態２にかかる移動通信システムの動作（特定サービスでない場合）を示すシーケンス図である。
【図１３】本発明の実施の形態１にかかる移動通信システムの概要構成を示すブロック図である。
【発明を実施するための形態】
【００１２】
＜発明の実施の形態１＞
まず、図１を参照して、本発明の実施の形態１にかかる移動通信システム１の構成について説明する。図１は、本発明の実施の形態１にかかる移動通信システム１の構成を示す概念図である。
【００１３】
移動通信システム１は、移動端末２、無線基地局３、無線基地局４、及びコアネットワークノード５を有する。移動通信システム１における各構成要素２〜５を接続する移動通信ネットワークは、マクロセル６と、マクロセル６にオーバーレイする形で配置されるスモールセル７とを含むヘテロジニアスネットワークを構成する。なお、図１では、各構成要素２〜７を１つだけ図示しているが、それぞれの構成要素の数は、これに限られない。
【００１４】
移動端末２は、他の端末との間でデータを送受信するために、移動端末ネットワークにおいてサービス（サービスに対応するベアラ）を確立する場合、無線基地局３又は無線基地局４を介して、コアネットワークノード５に対してサービスの確立を要求する。ここで、「他の端末」とは、例えば、他の移動端末２又は情報処理端末（サーバ及びパーソナルコンピュータ等）等である。
【００１５】
無線基地局３は、マクロセル６を管理する。すなわち、無線基地局３は、自局３と、自局が管理するマクロセル６に在圏する移動端末２との間でサービスを確立する制御を行う。無線基地局３は、サービスとして確立したベアラを介して、移動端末２と他の端末との間で送受信されるデータを転送する。
【００１６】
ここで、本実施の形態では、無線基地局３は、移動端末２から確立が要求されるサービスが、特定サービスである場合、移動端末２をマクロセル６（無線基地局３）からスモールセル７（無線基地局４）にハンドオーバさせる制御を行う。このように、特定サービスに対応するベアラを確立するときには、その特定サービスに対応するスモールセル７へのハンドオーバ制御を実行し、移動端末２の管理を無線基地局４へと移すことで、マクロセス６に在圏する他の移動端末２に対して影響を及ぼすことなく、特定サービスにおける通信を行うことを可能とする。
【００１７】
ここで、「特定サービス」とは、例えば、以下の（１）及び（２）が挙げられる。
（１）広帯域を占有するサービス（例えば、高解像度の映像ストリーミングを送受信するサービス等）
（２）特定のセル内でのみ提供されるサービス（例えば、複数の移動端末２が同一のセル内でのみ相互に通信を行えるゲーム、又は、特定のセルのみからアクセスでき、ユーザ認証が必要となるサーバからの情報提供サービス等）
【００１８】
無線基地局４は、スモールセル７を管理する。無線基地局４は、自局４と、自局４が管理するスモールセル７に在圏する移動端末２との間でサービスを確立する制御を行う。無線基地局４は、サービスとして確立したベアラを介して、移動端末２と他の端末との間で送受信されるデータを転送する。なお、無線基地局４は、マクロセル６よりも小さいスモールセル７が管理可能な程度に、無線基地局３よりも小型の無線基地局となる。
【００１９】
コアネットワークノード５は、移動端末２からのサービスの確立の要求に応じて、そのサービスの確立するように、無線基地局３又は無線基地局４を制御する。コアネットワークノード５は、例えば、ＳＧＳＮ（Serving GPRS Support Node）及びＭＭＥ（Mobility Management Entity）等である。
【００２０】
続いて、図２を参照して、本発明の実施の形態１にかかる無線基地局３の構成について説明する。図２は、本発明の実施の形態１にかかる無線基地局３の構成を示すブロック図である。
【００２１】
無線基地局３は、制御部３１、記憶部３２、及び通信部３３を有する。
【００２２】
制御部３１は、無線基地局３を統括的に制御する。具体的には、制御部３１は、無線基地局３を統括的に制御する処理をＣＰＵ（Central Processing Unit）に実行させるプログラムを、制御部３１が有するＣＰＵが実行することによって実現される。
【００２３】
記憶部３２は、制御部３１によって使用される各種データ、及び、制御部３１によって実行されるプログラム等が格納される。記憶部３２は、これらのデータ及びプログラム等を格納可能な、１つ以上の任意の記憶装置を含んで構成される。記憶装置は、例えば、メモリ及びハードディスク等である。
【００２４】
ここで、本実施の形態１では、記憶部３２は、上記各種データの１つとして、テーブル情報が格納される。テーブル情報は、特定サービスのサービス種別を示すサービス種別情報と、その特定サービスが提供されるスモールセル７を示すスモールセル情報とが関連付けられて含まれる情報である。すなわち、制御部３１は、テーブル情報を参照することで、無線基地局３が管理するマクロセルに含まれるスモールセル７のうち、移動端末２から確立を要求された特定サービスが提供されるスモールセル７を特定することが可能となる。これによって、制御部３１は、その特定したスモールセル７に移動端末２がハンドオーバ可能か否かを判定することで、特定サービスの確立を要求した移動端末２をスモールセル７にハンドオーバして、特定サービスを確立することが可能であるか否かを判定することが可能となる。なお、記憶部３２は、無線基地局３が管理するマクロセル６に含まれるスモールセル７のスモールセル情報と、そのスモールセル７で提供される特定サービスのサービス種別情報とがテーブル情報として管理される。
【００２５】
ここで、テーブル情報は、以下の（１）及び（２）の方法のうち、いずれか、もしくは、組み合わせにより、無線基地局３の記憶部３２に保持される。
（１）人手で、適切な内容となるように作成して、無線基地局３の記憶部３２に格納する。
（２）無線基地局３と無線基地局４との間のインタフェース（例えば、ＬＴＥの場合は、Ｘ２  Ｉｎｔｅｒｆａｃｅ）上のメッセージによって、無線基地局４が、所定のタイミング（自局４の設置時、又は、自局４の管理者からの入力指示時等）で、自局４が管理するスモールセル７にてサポートする特定サービスのサービス種別を示すサービス種別情報と、自局４が管理するスモールセルを示すスモールセル情報との組み合わせを無線基地局３に送信する。そして、無線基地局３は、無線基地局４から受信したサービス種別情報とスモールセル情報とを関連付けて、テーブル情報として記憶部３２に格納・更新する。
【００２６】
通信部３３は、制御部３１から出力された各種データを、移動端末２、無線基地局４、及びコアネットワークノード５等に対して送信する。また、通信部３３は、移動端末２、無線基地局４、及びコアネットワークノード５等から送信された各種データを受信して、制御部３１に出力する。すなわち、具体的には、通信部３３は、無線基地局３内部と、無線基地局３外部の移動通信ネットワーク側との間で、それぞれで処理し得る形式にデータを変換しつつ、データを送受信する通信デバイスである。
【００２７】
続いて、図３を参照して、本発明の実施の形態１にかかる無線基地局４の構成について説明する。図３は、本発明の実施の形態１にかかる無線基地局４の構成を示すブロック図である。
【００２８】
無線基地局４は、制御部４１、記憶部４２、及び通信部４３を有する。
【００２９】
制御部４１は、無線基地局４を統括的に制御する。具体的には、制御部４１は、無線基地局４を統括的に制御する処理をＣＰＵに実行させるプログラムを、制御部４１が有するＣＰＵが実行することによって実現される。
【００３０】
記憶部４２は、制御部４１によって使用される各種データ、及び、制御部４１によって実行されるプログラム等が格納される。記憶部４２は、これらのデータ及びプログラム等を格納可能な、１つ以上の任意の記憶装置を含んで構成される。
【００３１】
通信部４３は、制御部４１から出力された各種データを、移動端末２、無線基地局３、及びコアネットワークノード５等に対して送信する。また、通信部４３は、移動端末２、無線基地局３、及びコアネットワークノード５等から送信された各種データを受信して、制御部４１に出力する。すなわち、具体的には、通信部４３は、無線基地局４内部と、無線基地局４外部の移動通信ネットワーク側との間で、それぞれで処理し得る形式にデータを変換しつつ、データを送受信する通信デバイスである。
【００３２】
続いて、図４を参照して、本発明の実施の形態１にかかるコアネットワークノード５の構成について説明する。図４は、本発明の実施の形態１にかかるコアネットワークノード５の構成を示すブロック図である。
【００３３】
コアネットワークノード５は、制御部５１、記憶部５２、及び通信部５３を有する。
【００３４】
制御部５１は、コアネットワークノード５を統括的に制御する。具体的には、制御部５１は、コアネットワークノード５を統括的に制御する処理をＣＰＵに実行させるプログラムを、制御部５１が有するＣＰＵが実行することによって実現される。
【００３５】
記憶部５２は、制御部５１によって使用される各種データ、及び、制御部４１によって実行されるプログラム等が格納される。記憶部５２は、これらのデータ及びプログラム等を格納可能な、１つ以上の任意の記憶装置を含んで構成される。
【００３６】
通信部５３は、制御部５１から出力された各種データを、移動端末２、及び無線基地局３、４等に対して送信する。また、通信部５３は、移動端末２、及び無線基地局３、４等から送信された各種データを受信して、制御部５１に出力する。すなわち、具体的には、通信部５３は、コアネットワークノード５内部と、コアネットワークノード５外部の移動通信ネットワーク側との間で、それぞれで処理し得る形式にデータを変換しつつ、データを送受信する通信デバイスである。
【００３７】
続いて、図５を参照して、本発明の実施の形態１にかかる移動通信システム１の処理について説明する。図５は、本発明の実施の形態１にかかる移動通信システム１の処理を示すフローチャートである。
【００３８】
以下、最初に、移動端末２が、マクロセル６に在圏し、スモールセル７にハンドオーバ可能な状態で、サービスにおけるベアラの確立先が無線基地局３となっているものとして説明する。
【００３９】
移動端末２は、あるサービスにおけるベアラを確立するときに、そのサービスの確立を要求するサービス確立要求情報を、無線基地局３を介してコアネットワークノード５に送信する。コアネットワークノード５の制御部５１は、移動端末２から送信されたサービス確立要求情報を、通信部５３を介して受信する。制御部５１は、移動端末２からのサービス確立要求情報の受信に応じて、そのサービス確立要求情報で要求されるサービスの確立を要求するサービス確立要求情報を、通信部５３を介して無線基地局３に送信する。無線基地局３の制御部３１は、コアネットワークノード５から送信されたサービス確立要求情報を、通信部３３を介して受信する（Ｓ１）。
【００４０】
無線基地局３の制御部３１は、記憶部３２に格納されたテーブル情報において、受信したサービス確立要求情報で要求されたサービスに対応付けて示されているスモールセル７に、移動端末２がハンドオーバ可能か否かを判定する（Ｓ２）。具体的には、制御部３１は、記憶部３２のテーブル情報において、サービス確立要求情報で要求されたサービスを示すサービス種別情報が存在し、かつ、そのサービス種別情報に対応するスモールセル情報が示すスモールセル７に、移動端末２がハンドオーバ可能か否かを判定する。すなわち、記憶部３２のテーブル情報において、要求されたサービスを示すサービス種別情報が存在する場合、移動端末２から要求されたサービスが、特定サービスであることになる。また、そのサービス種別情報に対応するスモールセル情報で示されるスモールセル７に、移動端末２がハンドオーバ可能である場合、移動端末２を、要求された特定サービスが提供されるスモールセル７にハンドオーバして、そのスモールセル７で特定サービスを確立することが可能であることになる。
【００４１】
なお、移動端末２がスモールセル７にハンドオーバ可能か否かは、例えば、無線基地局３に移動端末２から所定の強度以上の電波が届いているか否かによって判断する等すればよい。これによって、移動端末２から確立が要求されたサービスが、現在の移動端末２の位置で確立可能な特定サービスであるか否かが判定可能となる。
【００４２】
要求されたサービスに対応するスモールセル７に移動端末２がハンドオーバ可能と判定した場合（Ｓ２：Ｙｅｓ）、制御部３１は、そのスモールセル７へのハンドオーバ制御を実施するため、サービスの確立に失敗した旨を応答するサービス確立応答情報を、通信部３３を介してコアネットワークノード５に送信する。
【００４３】
ここで、記憶部３２のテーブル情報において、要求されたサービスを示すサービス種別情報に、複数のスモールセル情報が関連付けられている場合、以下の方法により、それらのスモールセル情報が示す複数のスモールセル７の中から、ハンドオーバ先のスモールセル７を選択するものとする。
【００４４】
まず、複数のスモールセル７から、無線品質が所定品質以上となるスモールセル７を選択する。すなわち、無線品質が所定の品質よりも良いスモールセル７を選択する。そして、選択したスモールセルから、さらに、以下の（１）〜（３）の方法のうち、いずれか１つ、もしくは、いずれか２つ以上の組み合わせによって、最終的なハンドオーバ先のスモールセル７を１つ選択する。
（１）各スモールセル７に予め優先度を設定しておき、最も優先度の高いスモールセル７を選択
（２）各スモールセル７の負荷状況を確認し、負荷が最も低いスモールセル７を選択
（３）ランダムに１つのスモールセル７を選択
【００４５】
ここで、（１）の方法を実施する場合は、各スモールセル７について、スモールセル７の優先度を示す情報を記憶部３２に予め格納しておき、制御部３１がその情報を参照することで、最も優先度の高いスモールセル７を判定可能とする。また、（２）の方法を実施する場合は、無線基地局３の制御部３１が、各スモールセル７を管理する無線基地局４からスモールセル７の負荷状況を通知する情報を受信して、受信した情報に基づいてスモールセル７の負荷状況を示す情報を記憶部３２に格納する。これによって、制御部３１が、記憶部３２に格納された負荷状況を示す情報を参照することで、負荷が最も低いスモールセル７を判定可能とする。なお、このスモールセル７の負荷状況の通知は、例えば、３ＧＰＰ（ＴＳ３６．４２３等）で規定されているＲｅｓｏｕｒｃｅ  Ｓｔａｔｕｓ  Ｒｅｐｏｒｔｉｎｇ  ｐｒｏｃｅｄｕｒｅを利用して実現するようにすればよい。また、各スモールセル７の無線品質は、各スモールセル７に在圏する移動端末２に測定させるようにして、無線基地局３に通知するようにすることで、制御部３１が各スモールセル７の無線品質を特定可能とすればよい。なお、各移動端末２における無線品質の測定方法は、任意の一般的な方法を利用するようにすればよい。
【００４６】
また、（１）の方法と（２）の方法とを組み合わせて実施する場合には、例えば、各スモールセル７について、優先度が高くなるに従って高くなり、かつ、負荷状況が低くなるに従って高くなる評価値を算出して、算出した評価値が最も高いスモールセル７を選択する等すればよい。
【００４７】
無線基地局３の制御部３１は、移動端末２をマクロセル６からハンドオーバ先のスモールセル７へハンドオーバさせるハンドオーバ制御を実行する。具体的には、無線基地局３が、移動端末２にハンドオーバを要求する情報を送信し、移動端末２が、その情報の受信に応じて、ハンドオーバ先のスモールセル７に対するハンドオーバを実施し、無線基地局４にハンドオーバ成功を通知し、無線基地局４はコアネットワークノード５に（ハンドオーバ先セル情報を含む）ハンドオーバ完了を通知する等の処理を実施する。
【００４８】
また、コアネットワークノード５の制御部５１は、無線基地局３から送信されたサービス確立応答情報を、通信部５３を介して受信する。制御部５１は、サービスの確立に失敗した旨を応答するサービス確立応答情報を受信した場合、ハンドオーバの終了後に、移動端末２のハンドオーバ先のスモールセル７を管理する無線基地局４に、通信部５３を介してサービス確立要求情報を送信する。
【００４９】
無線基地局４の制御部４１は、コアネットワークノード５から送信されたサービス確立要求情報を、通信部４３を介して受信する。制御部４１は、サービス確立要求情報の受信に応じて、そのサービス確立要求情報で要求される特定サービスの確立処理を実行する（Ｓ４）。すなわち、制御部４１は、サービス確立要求情報で要求される特定サービスに対応するベアラを、自局４が管理するスモールセル７において、移動端末２との間で確立する。
【００５０】
一方、要求されたサービスに対応するスモールセル７に移動端末２がハンドオーバ可能でないと判定した場合（Ｓ２：Ｎｏ）、制御部３１は、コアネットワークノード５からのサービス確立要求情報で要求されるサービスの確立処理を実行する（Ｓ５）。すなわち、制御部３１は、サービス確立要求情報で要求されるサービスに対応するベアラを、自局３が管理するマクロセル６において、移動端末２との間で確立する。
【００５１】
続いて、図６を参照して、本発明の実施の形態１にかかる移動通信システム１の動作（特定サービスである場合）について説明する。図６は、本発明の実施の形態１にかかる移動通信システム１の動作（特定サービスである場合）を示すシーケンス図である。図６では、移動端末２から確立を要求するサービスが、特定サービスである場合について例示する。
【００５２】
移動端末２は、特定サービスにおけるベアラを確立するときに、特定サービスの確立を要求するサービス確立要求情報を、無線基地局３を介してコアネットワークノード５に送信する（Ｓ１１）。コアネットワークノード５の制御部５１は、移動端末２からのサービス確立要求情報の受信に応じて、そのサービス確立要求情報で要求される特定サービスの確立を要求するサービス確立要求情報を無線基地局３に送信する（Ｓ１２）。
【００５３】
無線基地局３の制御部３１は、コアネットワークノード５からのサービス確立要求情報の受信に応じて、そのサービス確立要求情報で要求されたサービスが特定サービスであり、かつ、その特定サービスに対応するスモールセル７に移動端末２がハンドオーバ可能か否かを判定する（Ｓ１３）。ここでは、移動端末２から確立を要求するサービスが特定サービスであり、かつ、その特定サービスに対応するスモールセル７に移動端末２がハンドオーバ可能であるため、制御部３１は、サービスの確立に失敗した旨を応答するサービス確立応答情報をネットワークノード５に送信する（Ｓ１４）。
【００５４】
無線基地局３の制御部３１は、コアネットワークノード５からのサービス確立応答情報の受信に応じて、移動端末２をマクロセル６からハンドオーバ先のスモールセル７へハンドオーバさせるハンドオーバ制御を実行する（Ｓ１５）。コアネットワークノード５の制御部５１は、ハンドオーバの終了後に、移動端末２からのサービス確立要求情報で要求された特定サービスの確立を要求するサービス確立要求情報を、ハンドオーバ先のスモールセル７を管理する無線基地局４に送信する（Ｓ１６）。
【００５５】
無線基地局４の制御部４１は、コアネットワークノード５からのサービス確立要求情報の受信に応じて、そのサービス確立要求情報で要求される特定サービスの確立処理を実行する（Ｓ１７）。無線基地局４の制御部４１は、特定サービスの確立処理の終了後に、サービスの確立に成功した旨を応答するサービス確立応答情報をコアネットワークノード５に送信する（Ｓ１８）。
【００５６】
これによって、図７に示すように、スモールセル７において、移動端末２と無線基地局４との間で、特定サービスに対応するベアラが確立される。そして、移動端末２は、確立されたベアラを介して、他の端末との間でデータを送受信することが可能となる。
【００５７】
続いて、図８を参照して、本発明の実施の形態１にかかる移動通信システム１の動作（特定サービスでない場合）について説明する。図８は、本発明の実施の形態１にかかる移動通信システム１の動作（特定サービスでない場合）を示すシーケンス図である。図８では、移動端末２から確立を要求するサービスが、特定サービスでない場合について例示する。なお、図６と同様の動作については、同一の符号を付し、その説明を省略する。
【００５８】
図８に示す場合には、移動端末２から確立を要求するサービスが、特定サービスでないため、無線基地局３の制御部３１は、コアネットワークノード５からのサービス確立要求情報で要求されるサービスの確立処理を実行する（Ｓ１９）。制御部３１は、サービスの確立処理の終了後に、サービスの確立に成功した旨を応答するサービス確立応答情報をコアネットワークノード５に送信する（Ｓ２０）。
【００５９】
これによって、マクロセル６において、移動端末２と無線基地局４との間で、サービスに対応するベアラが確立される。そして、移動端末２は、確立されたベアラを介して、他の端末との間でデータを送受信することが可能となる。
【００６０】
以上に説明したように、本実施の形態では、特定サービスを確立する移動端末２をマクロセル６から、その特定サービスに対応するスモールセル７へとハンドオーバさせるようにしている。これによれば、広帯域を占有し、他のマクロセル６に在圏する移動端末２に影響を与えてしまうような特定サービス（上述の（１）の特定サービス）を確立した移動端末２をスモールセル７に退避することで、他の移動端末２に影響を与えないようにすることができる。
【００６１】
また、特定のスモールセル７内でのみで提供される特別なサービス（例えば、複数の移動端末２が同一のスモールセル７内に在圏する場合にのみ直接的に通信可能となるサービス、又は、移動端末２が特定のスモールセル７に在圏する場合にのみアクセスしてデータの提供を受けることができるサービス等）（上述の（２）の特定サービス）が実現可能となる。
【００６２】
なお、無線基地局３の制御部３１は、要求されるサービスが、このサービス（上述の（２）の特定サービス）であるときには、テーブル情報において、要求されたサービスを示すサービス種別情報が存在する場合（すなわち、要求されたサービスが特定サービスである場合）が、移動端末２が、その特定サービスに対応するスモールセル７にハンドオーバ可能でないと判定した場合には、マクロセル６でサービスを確立せずに、サービスの確立を抑止するようにしてもよい。
【００６３】
＜発明の実施の形態２＞
実施の形態１では、無線基地局３において、特定サービスに対応したスモールセル７へのハンドオーバの実施の要否を判定するようにしているが、本実施の形態２では、コアネットワークノード５において判定する場合について説明する。例えば、移動端末２から要求されるサービスが、スモールセル７へのハンドオーバが必要な「特定サービス」であるか否かを、移動通信システム１において採用する移動通信方式では、コアネットワークノード５から無線基地局３に送ることができる情報のみから判定することができないような場合に有効である。
【００６４】
なお、移動通信システム１及びその構成要素３〜５の構成については、実施の形態１と同様であるため、その説明を省略する。ただし、本実施の形態２では、実施の形態１において、無線基地局３の記憶部３２に格納されていたテーブル情報が、コアネットワークノード５の記憶部５２に格納されることになる。なお、本実施の形態２では、コアネットワークノード５の下位の無線基地局３のそれぞれについてのテーブル情報が格納される。
【００６５】
ここで、テーブル情報は、以下の（１）及び（２）の方法のうち、いずれか、もしくは、組み合わせにより、コアネットワークノード５の記憶部５２に保持される。
（１）人手で、適切な内容となるように作成して、無線基地局３の記憶部３２に格納する。
（２）コアネットワークノード５と無線基地局４との間のインタフェース（例えば、ＬＴＥの場合は、Ｓ１  Ｉｎｔｅｒｆａｃｅ）上のメッセージによって、無線基地局４が、所定のタイミング（自局４の設置時、又は、自局４の管理者からの入力指示時等）で、自局４が管理するスモールセル７にてサポートする特定サービスのサービス種別を示すサービス種別情報と、自局４が管理するスモールセルを示すスモールセル情報との組み合わせをコアネットワークノード５に送信する。そして、コアネットワークノード５は、無線基地局４から受信したサービス種別情報とスモールセル情報とを関連付けて、テーブル情報として記憶部５１に格納・更新する。
【００６６】
続いて、図９を参照して、本発明の実施の形態２にかかるコアネットワークノード５に関する処理について説明する。図９は、本発明の実施の形態２にかかるコアネットワークノード５に関する処理を示すフローチャートである。
【００６７】
以下、最初に、移動端末２が、マクロセル６に在圏し、スモールセル７にハンドオーバ可能な状態で、サービスにおけるベアラの確立先が無線基地局３となっているものとして説明する。
【００６８】
移動端末２は、あるサービスにおけるベアラを確立するときに、そのサービスの確立を要求するサービス確立要求情報を、無線基地局３を介してコアネットワークノード５に送信する。コアネットワークノード５の制御部５１は、移動端末２から送信されたサービス確立要求情報を、通信部５３を介して受信する（Ｓ２１）。
【００６９】
制御部５１は、記憶部５２に格納されたテーブル情報において、受信したサービス確立要求情報で要求されたサービスに対応付けて示されているスモールセル７に、移動端末２がハンドオーバ可能か否かを判定する（Ｓ２２）。具体的には、制御部５１は、記憶部５２のテーブル情報において、サービス確立要求情報で要求されたサービスを示すサービス種別情報が存在し、かつ、そのサービス種別情報に対応するスモールセル情報が存在し、そのスモールセル情報が示すスモールセル７に、移動端末２がハンドオーバ可能か否かを判定する。なお、ここでの判定では、記憶部５２に格納されるテーブル情報のうち、サービスの確立を要求した移動端末２が在圏しているマクロセル６を管理する無線基地局３に対応するテーブル情報が使用される。
【００７０】
また、移動端末２がスモールセル７にハンドオーバ可能か否かは、実施の形態１と同様に、無線基地局３に移動端末２から所定の強度以上の電波が届いているか否かによって判断する等すればよい。これによって、移動端末２から確立が要求されたサービスが、現在の移動端末２の位置で確立可能な特定サービスであるか否かが判定可能となる。
【００７１】
要求されたサービスに対応するスモールセル７に移動端末２がハンドオーバ可能と判定した場合（Ｓ２２：Ｙｅｓ）、制御部５１は、そのスモールセル７へのハンドオーバの実施を要求するハンドオーバ実施要求情報を、通信部５３を介して無線基地局３に送信する（Ｓ２３）。なお、要求されたサービスを示すサービス種別情報に、複数のスモールセル情報が関連付けられている場合、実施の形態１における説明と同様に、ハンドオーバ先のスモールセル７を選択するようにすればよい。
【００７２】
制御部５１は、無線基地局３からハンドオーバ実施要求情報に応じて送信されたハンドオーバ実施応答情報を、通信部５３を介して受信する。制御部５１は、ハンドオーバを正常実施する旨を応答するハンドオーバ実施応答情報を受信した場合、ハンドオーバの終了後に、移動端末２のハンドオーバ先のスモールセル７を管理する無線基地局４に、通信部５３を介してサービス確立要求情報を送信する。
【００７３】
無線基地局４の制御部４１は、コアネットワークノード５から送信されたサービス確立要求情報を、通信部４３を介して受信する。制御部４１は、サービス確立要求情報の受信に応じて、そのサービス確立要求情報で要求される特定サービスの確立処理を実行する（Ｓ２４）。すなわち、制御部４１は、サービス確立要求情報で要求される特定サービスに対応するベアラを、自局４が管理するスモールセル７において、移動端末２との間で確立する。
【００７４】
一方、要求されたサービスに対応するスモールセル７に移動端末２がハンドオーバ可能でないと判定した場合（Ｓ２２：Ｎｏ）、制御部５１は、移動端末２からのサービス確立要求情報で要求されるサービスの確立を要求するサービス確立要求情報を、通信部５３を介して無線基地局３に送信する。無線基地局３の制御部３１は、コアネットワークノード５から送信されたサービス確立要求情報を、通信部３３を介して受信する。制御部３１は、サービス確立要求情報の受信に応じて、そのサービス確立要求情報で要求されるサービスの確立処理を実行する（Ｓ２５）。すなわち、制御部３１は、サービス確立要求情報で要求されるサービスに対応するベアラを、自局３が管理するマクロセル６において、移動端末２との間で確立する。
【００７５】
続いて、図１０を参照して、本発明の実施の形態２にかかる無線基地局３、４に関する処理について説明する。図１０は、本発明の実施の形態２にかかる無線基地局３、４に関する処理を示すフローチャートである。
【００７６】
無線基地局３の制御部３１は、コアネットワークノード５から送信された、スモールセル７へのハンドオーバの実施を要求するハンドオーバ実施要求情報を、通信部３３を介して受信する（Ｓ３１）。
【００７７】
制御部３１は、ハンドオーバ実施要求情報の受信に応じて、そのハンドオーバ実施要求情報で要求されるハンドオーバ先のスモールセル７へのハンドオーバが実施可能か否かを判定する（Ｓ３２）。ここで、ハンドオーバが実施可能であるか否かは、ハンドオーバ先のスモールセル７の無線品質が所定品質以上であるか否かによって判定する。なお、無線品質は、実施の形態１で述べたように、各スモールセル７に在圏する移動端末２に測定させるようにして、無線基地局３に通知するようにすることで、制御部３１が各スモールセル７の無線品質を特定可能とすればよい。
【００７８】
また、ハンドオーバ先のスモールセル７は、コアネットワークノード５がハンドオーバ実施要求情報に、ハンドオーバ先のスモールセル７を一意に特定する情報を含めることで、制御部３１が、その情報を参照することで特定可能とする。また、ハンドオーバ先のスモールセル７は、コアネットワークノード５がハンドオーバ実施要求情報に、特定サービスに対応するスモールセル７の全てを示す情報を含めることで、制御部３１が、それらのスモールセル７の無線品質に基づいて決定可能としてもよい。例えば、最も無線品質の良いスモールセル７を選択するようにしてもよい。
【００７９】
ハンドオーバ先のスモールセル７へのハンドオーバが実施可能であると判定した場合（Ｓ３２：Ｙｅｓ）、制御部３１は、ハンドオーバを正常実施する旨を応答するハンドオーバ実施応答情報を、通信部３３を介してコアネットワークノード５に送信するとともに、移動端末２をマクロセル６からハンドオーバ先のスモールセル７へハンドオーバさせるハンドオーバ制御を実行する（Ｓ３３）。
【００８０】
無線基地局４の制御部４１は、コアネットワークノード５からハンドオーバ実施応答情報に応じて送信されたサービス確立要求情報を、通信部４３を介して受信する（Ｓ３４）。制御部４１は、サービス確立要求情報の受信に応じて、そのサービス確立要求情報で要求される特定サービスの確立処理を実行する（Ｓ３５）。すなわち、制御部４１は、サービス確立要求情報で要求される特定サービスに対応するベアラを、自局４が管理するスモールセル７において、移動端末２との間で確立する。
【００８１】
一方、ハンドオーバ先のスモールセル７へのハンドオーバが実施可能でないと判定した場合（Ｓ３２：Ｎｏ）、制御部３１は、ハンドオーバに失敗した旨を応答するハンドオーバ実施応答情報を、通信部３３を介してコアネットワークノード５に送信する。この場合、コアネットワークノード５の制御部５１は、無線基地局３からのハンドオーバ実施応答情報の受信に応じて、サービス確立要求情報を無線基地局３に送信して、マクロセル６において、無線基地局３と移動端末２との間でサービスを確立するようにしてもよく、サービスの確立を抑止するようにしてもよい。
【００８２】
続いて、図１１を参照して、本発明の実施の形態２にかかる移動通信システム１の動作（特定サービスである場合）について説明する。図１１は、本発明の実施の形態２にかかる移動通信システム１の動作（特定サービスである場合）を示すシーケンス図である。図１１では、移動端末２から確立を要求するサービスが、特定サービスである場合について例示する。
【００８３】
移動端末２は、特定サービスにおけるベアラを確立するときに、特定サービスの確立を要求するサービス確立要求情報を、無線基地局３を介してコアネットワークノード５に送信する（Ｓ４１）。コアネットワークノード５の制御部５１は、移動端末２からのサービス確立要求情報の受信に応じて、そのサービス確立要求情報で要求されたサービスが特定サービスであり、かつ、その特定サービスに対応するスモールセル７に、移動端末２がハンドオーバ可能か否かを判定する（Ｓ４２）。ここでは、移動端末２から確立を要求するサービスが特定サービスであり、かつ、その特定サービスに対応するスモールセル７に移動端末２がハンドオーバ可能であるため、制御部５１は、ハンドオーバ実施要求情報を無線基地局３に送信する（Ｓ４３）。
【００８４】
無線基地局３の制御部３１は、コアネットワークノード５からハンドオーバ実施要求情報の受信に応じて、ハンドオーバ実施要求情報で指定されたスモールセル７へのハンドオーバが実施可能か否かを判定する（Ｓ４４）。ここでは、指定されたスモールセル７へのハンドオーバが実施可能であるものとする。この場合、制御部３１は、ハンドオーバを正常実施する旨を応答するハンドオーバ実施応答情報をコアネットワークノード５に送信する（Ｓ４５）。
【００８５】
また、制御部３１は、移動端末２をマクロセル６からハンドオーバ先として指定されたスモールセル７へハンドオーバさせるハンドオーバ制御を実行する（Ｓ４６）。コアネットワークノード５の制御部５１は、ハンドオーバの終了後に、移動端末２からのサービス確立要求情報で要求されたサービス確立要求情報を、ハンドオーバ先のスモールセル７を管理する無線基地局４に送信する（Ｓ４７）。
【００８６】
無線基地局４の制御部４１は、コアネットワークノード５からのサービス確立要求情報の受信に応じて、そのサービス確立要求情報で要求される特定サービスの確立処理を実行する（Ｓ４８）。無線基地局４の制御部４１は、特定サービスの確立処理の終了後に、サービスの確立に成功した旨を応答するサービス確立応答情報をコアネットワークノード５に送信する（Ｓ４９）。
【００８７】
これによって、図７に示すように、スモールセル７において、移動端末２と無線基地局４との間で、特定サービスに対応するベアラが確立される。そして、移動端末２は、確立されたベアラを介して、他の端末との間でデータを送受信することが可能となる。
【００８８】
続いて、図１２を参照して、本発明の実施の形態２にかかる移動通信システム１の動作（特定サービスでない場合）について説明する。図１２は、本発明の実施の形態２にかかる移動通信システム１の動作（特定サービスでない場合）を示すシーケンス図である。図１２では、移動端末２から確立を要求するサービスが、特定サービスでない場合について例示する。なお、図１１と同様の動作については、同一の符号を付し、その説明を省略する。
【００８９】
図１２に示す場合には、移動端末２から確立を要求するサービスが、特定サービスでないため、無線基地局５の制御部５１は、移動端末２からのサービス確立要求情報で要求されるサービスの確立を要求するサービス確立要求情報を無線基地局３に送信する（Ｓ５０）。無線基地局３の制御部３１は、コアネットワークノード５からのサービス確立要求情報の受信に応じて、そのサービス確立要求情報で要求されるサービスの確立処理を実行する（Ｓ５１）。制御部３１は、サービスの確立処理の終了後に、サービスの確立に成功した旨を応答するサービス確立応答情報をコアネットワークノード５に送信する（Ｓ５２）。
【００９０】
これによって、マクロセル６において、移動端末２と無線基地局４との間で、サービスに対応するベアラが確立される。そして、移動端末２は、確立されたベアラを介して、他の端末との間でデータを送受信することが可能となる。
【００９１】
以上に説明したように、移動端末２から特定サービスの確立が要求されており、その特定サービスに対応するスモールセル７にハンドオーバしての特定サービスの確立が可能か否かを判定することもできる。
【００９２】
＜発明の実施の形態３＞
上述した実施の形態１、２では、同一のＲＡＴ（Ｒａｄｉｏ  Ａｃｃｅｓｓ  Ｔｅｃｈｎｏｌｏｇｙ）内でのハンドオーバを意図して説明していたが、ハンドオーバ先が異なるＲＡＴのセルでもよい。すなわち、いわゆる、インターラットハンドオーバ（Ｉｎｔｅｒ−ＲＡＴ  Ｈａｎｄｏｖｅｒ）を実施するようにしてもよい。また、その際に、移動端末２やコアネットワーク側においてインターラットハンドオーバ機能をサポートしていない場合は、移動端末２のＲＡＴへのリダイレクション（Ｒｅｄｉｒｅｃｔｉｏｎ）を実施するようにしてもよい。なお、インターラットハンドオーバ及びリダイレクションは、既存技術であるため、詳細は省略する。
【００９３】
＜発明の実施の形態の概要＞
続いて、図１３を参照して、本発明の実施の形態１にかかる移動通信システム１の概要構成について説明する。図１３は、本発明の実施の形態１にかかる移動通信システム１の概要構成となる移動通信システム９を示すブロック図である。
【００９４】
移動通信システム９は、第１の無線基地局９１、第２の無線基地局９２、及びサービス確立制御部９３を有する。
【００９５】
第１の無線基地局９１は、マクロセルを管理する。第１の無線基地局９１は、無線基地局３に対応する。
【００９６】
第２の無線基地局９２は、マクロセルに含まれるスモールセルを管理する。第２の無線基地局９２は、無線基地局４に対応する。
【００９７】
サービス確立制御部９３は、移動端末からのサービスの確立要求に応じて、マクロセルにおいて、移動端末と第１の無線基地局９１との間でサービスを確立するサービス確立制御を行う。また、サービス確立制御部９３は、移動端末から確立要求されたサービスが特定サービスである場合には、移動端末の第１の無線基地局９１から第２の無線基地局９２へのハンドオーバ制御を行ってから、スモールセルにおいて、移動端末と第２の無線基地局との間でサービスを確立するサービス確立制御を行う。サービス確立制御部９３は、実施の形態１における無線基地局３の制御部３１、及び、実施の形態２におけるコアネットワークノード５の制御部５１に対応する。
【００９８】
なお、本発明は上記実施の形態に限られたものではなく、趣旨を逸脱しない範囲で適宜変更することが可能である。
【００９９】
また、上述した実施の形態は、無線基地局３が管理するセルとしてマクロセル、無線基地局４が管理するセルとしてスモールセルを用いているがこれに限らない。例えば、無線基地局３が管理するセルはマクロセルの代わりにマイクロセルであってもよいし、無線基地局４が管理するセルは、マイクロセルより小さいピコセルやフェムトセルであってもよい。無線基地局４が管理するセルは、無線基地局３が管理するセルより小さければよい。
【０１００】
また、上述した無線基地局３、４及びコアネットワークノード５のそれぞれにおいて実行されるプログラムは、様々なタイプの非一時的なコンピュータ可読媒体（non-transitory computer readable medium）を用いて格納され、無線基地局３、４及びコアネットワークノード５（コンピュータ）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０１】
上記の実施形態の一部又は全部は、以下の付記のようにも記載されうるが、以下には限られない。
【０１０２】
（付記１）
第１のセルを管理する第１の無線基地局と、
前記第１のセルに含まれる第２のセルを管理する第２の無線基地局と、
移動端末からのサービスの確立要求に応じて、前記第１のセルにおいて、前記移動端末と前記第１の無線基地局との間でサービスを確立するサービス確立制御を行うサービス確立制御部と、
を備え、
前記サービス確立制御部は、前記移動端末から確立要求されたサービスが特定サービスである場合には、前記移動端末の前記第１の無線基地局から前記第２の無線基地局へのハンドオーバ制御を行ってから、前記第２のセルにおいて、前記移動端末と前記第２の無線基地局との間でサービスを確立するサービス確立制御を行う、
移動通信システム。
【０１０３】
（付記２）
前記移動通信システムは、さらに、前記特定サービスを示す特定サービス情報が格納される記憶部を備え、
前記サービス確立制御部は、前記移動端末から確立要求されたサービスが特定サービスであるか否かを、前記移動端末から確立要求されたサービスを示す特定サービス情報が前記記憶部に格納されているか否かによって判定する、
付記１に記載の移動通信システム。
【０１０４】
（付記３）
前記記憶部は、さらに、前記特定サービスを示す前記特定サービス情報と関連付けられ、当該特定サービスの提供エリアである前記第２のセルを示すセル情報が格納され、
前記サービス確立制御部は、前記移動端末から確立要求されたサービスを示す前記特定サービス情報が前記記憶部に格納されており、かつ、当該特定サービス情報に関連付けられた前記セル情報が示す第２のセルに、前記移動端末がハンドオーバ可能である場合、前記ハンドオーバ制御を行ってから、前記サービス確立制御を行う、
付記２に記載の移動通信システム。
【０１０５】
（付記４）
前記第１のセルは、前記第２のセルが複数含まれ、
前記移動通信システムは、それぞれが、前記複数の第２のセルのそれぞれを管理するように、前記第２の無線基地局を複数備え、
前記記憶部は、それぞれが、前記複数の第２のセルのそれぞれを示すように、前記セル情報が複数格納され、
前記特定サービス情報は、１つ以上の前記セル情報と関連付けられ、
前記サービス確立制御部は、前記移動端末から確立要求されたサービスを示す特定サービス情報に関連付けられた前記セル情報が複数ある場合、当該複数の前記セル情報が示す前記複数の第２のセルのうち、無線品質が所定品質以上である前記第２のセルを管理する第２の無線基地局から、前記ハンドオーバ制御におけるハンドオーバ先の第２の無線基地局を決定する、
付記３項に記載の移動通信システム。
【０１０６】
（付記５）
前記サービス確立制御部は、前記無線品質が所定品質以上である前記第２のセルのうち、予め定められた優先度の最も高い前記第２のセル、負荷状況の最も低い前記第２のセル、又は、ランダムに決定した前記第２のセルによって管理される第２の無線基地局を、前記ハンドオーバ先の第２の無線基地局として決定する、
付記４に記載の移動通信システム。
【０１０７】
（付記６）
前記移動通信システムは、さらに、前記記憶部及び前記サービス確立制御部を有するコアネットワークノードを備え、
前記サービス確立制御部は、前記サービス確立制御として、前記サービスの確立を要求するサービス確立要求情報を前記第１の無線基地局に送信するとともに、前記移動端末から確立要求されたサービスが特定サービスである場合には、前記サービス確立制御として、前記サービス確立要求情報を前記第２の無線基地局に送信し、
前記第１の無線基地局は、前記サービス確立制御部からのサービス確立要求情報に応じて、前記第１のセルにおいて、前記移動端末との間でサービスを確立し、
前記第２の無線基地局は、前記サービス確立制御部からのサービス確立要求情報に応じて、前記第２のセルにおいて、前記移動端末との間でサービスを確立する、
付記２乃至５のいずれか１項に記載の移動通信システム。
【０１０８】
（付記７）
前記第１の無線基地局は、前記記憶部及び前記サービス確立制御部を有し、
前記サービス確立制御部は、前記サービス確立制御として、前記第１のセルにおいて、前記移動端末との間でサービスを確立するとともに、前記移動端末から確立要求されたサービスが特定サービスである場合には、前記サービス確立制御として、前記第２の無線基地局に対して前記サービスの確立を要求するサービス確立要求情報を送信させるためのサービス未確立通知情報をコアネットワークノードに送信し、
前記第２の無線基地局は、前記コアネットワークノードからのサービス確立要求情報に応じて、前記第２のセルにおいて、前記移動端末との間でサービスを確立する、
付記２乃至５のいずれか１項に記載の移動通信システム。
【０１０９】
（付記８）
第１のセルを管理する第１の無線基地局又は前記第１のセルに含まれる第２のセルを管理する第２の無線基地局と、移動端末との間でサービスを確立する制御を行う無線局であって、
前記移動端末からのサービスの確立要求に応じて、前記第１のセルにおいて、前記移動端末と前記第１の無線基地局との間でサービスを確立するサービス確立制御を行うサービス確立制御部を備え、
前記サービス確立制御部は、前記移動端末から確立要求されたサービスが特定サービスである場合には、前記移動端末の前記第１の無線基地局から前記第２の無線基地局へのハンドオーバ制御を行ってから、前記第２のセルにおいて、前記移動端末と前記第２の無線基地局との間でサービスを確立するサービス確立制御を行う、
無線局。
【０１１０】
（付記９）
第１のセルを管理する第１の無線基地局又は前記第１のセルに含まれる第２のセルを管理する第２の無線基地局と、移動端末との間でサービスを確立する制御を行う移動通信制御方法であって、
前記移動端末からのサービスの確立要求を受けるステップと、
前記第１のセルにおいて、前記移動端末と前記第１の無線基地局との間でサービスを確立するサービス確立制御を行うステップと、を備え、
前記サービス確立制御を行うステップでは、前記移動端末から確立要求を受けたサービスが特定サービスである場合には、前記移動端末の前記第１の無線基地局から前記第２の無線基地局へのハンドオーバ制御を行ってから、前記第２のセルにおいて、前記移動端末と前記第２の無線基地局との間でサービスを確立するサービス確立制御を行う、
移動通信制御方法。
【０１１１】
（付記１０）
第１のセルを管理する第１の無線基地局又は前記第１のセルに含まれる第２のセルを管理する第２の無線基地局と、移動端末との間でサービスを確立する制御を行うための移動通信制御プログラムであって、
前記移動端末からのサービスの確立要求を受ける処理と、
前記第１のセルにおいて、前記移動端末と前記第１の無線基地局との間でサービスを確立するサービス確立制御を行う処理と、をコンピュータに実行させ、
前記サービス確立制御を行う処理では、前記移動端末から確立要求を受けたサービスが特定サービスである場合には、前記移動端末の前記第１の無線基地局から前記第２の無線基地局へのハンドオーバ制御を行ってから、前記第２のセルにおいて、前記移動端末と前記第２の無線基地局との間でサービスを確立するサービス確立制御を行う、
移動通信制御プログラム。
【０１１２】
（付記１１）
第１のセルは、マクロセルである、
ことを特徴とする付記１乃至７のいずれか１項に記載の移動通信システム。
【０１１３】
（付記１２）
第２のセルは、スモールセルである、
ことを特徴とする付記１乃至７のいずれか１項に記載の移動通信システム。
【０１１４】
以上、実施の形態を参照して本願発明を説明したが、本願発明は上記によって限定されるものではない。本願発明の構成や詳細には、発明のスコープ内で当業者が理解し得る様々な変更をすることができる。
【０１１５】
この出願は、２０１２年７月１７日に出願された日本出願特願２０１２−１５８６１６を基礎とする優先権を主張し、その開示の全てをここに取り込む。
【符号の説明】
【０１１６】
１、９  移動通信システム
２  移動端末
３、４  無線基地局
５  コアネットワークシステム
６  マクロセル
７  スモールセル
３１、４１、５１  制御部
３２、４２、５２  記憶部
３３、４３、５３  通信部
９１  第１の無線基地局
９２  第２の無線基地局
９３  サービス確立制御部
【図１】
2014013646.tif 000003
【図２】
2014013646.tif 000004
【図３】
2014013646.tif 000005
【図４】
2014013646.tif 000006
【図５】
2014013646.tif 000007
【図６】
2014013646.tif 000008
【図７】
2014013646.tif 000009
【図８】
2014013646.tif 000010
【図９】
2014013646.tif 000011
【図１０】
2014013646.tif 000012
【図１１】
2014013646.tif 000013
【図１２】
2014013646.tif 000014
【図１３】
2014013646.tif 000015
【手続補正書】
【提出日】平成26年12月16日(2014.12.16)
【手続補正２】
【補正対象書類名】特許請求の範囲
【補正対象項目名】請求項１０
【補正方法】変更
【補正の内容】
【請求項１０】
移動端末からのサービスの確立要求を受ける処理と、
第１の無線基地局によって管理される第１のセルにおいて、前記移動端末と前記第１の無線基地局との間でサービスを確立するサービス確立制御を行う処理と、をコンピュータに実行させ、
前記サービス確立制御を行う処理では、前記移動端末から確立要求を受けたサービスが特定サービスである場合には、前記移動端末の前記第１の無線基地局から第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行う、
移動通信制御プログラム。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
第１のセルを管理する第１の無線基地局と、
前記第１のセルに含まれる複数の第２のセルを管理する複数の第２の無線基地局と、
移動端末からのサービスの確立要求に応じて、前記第１のセルにおいて、前記移動端末と前記第１の無線基地局との間でサービスを確立するサービス確立制御を行うサービス確立制御手段と、
前記複数の第２のセルにおける優先度および負荷状況を評価する評価値に基づき前記第１の無線基地局からのハンドオーバ先の第２の無線基地局を決定する決定手段と、
を備え、
前記サービス確立制御手段は、前記移動端末から確立要求されたサービスが特定サービスである場合には、前記移動端末の前記第１の無線基地局から前記決定手段が前記評価値に基づき決定した前記第２の無線基地局へのハンドオーバ制御を行ってから、前記第２の無線基地局が管理する第２のセルにおいて、前記移動端末と前記第２の無線基地局との間でサービスを確立するサービス確立制御を行う、
移動通信システム。 
【請求項２】
前記評価値は、前記優先度が高くなるに従って大きい値になり、前記負荷状況が低くなるに従って大きい値になるように設定され、
前記決定手段は、前記評価値が最も大きい第２のセルの第２の無線基地局を前記第１の無線基地局からのハンドオーバ先に決定する、
ことを特徴とする請求項１に記載の移動通信システム。
【請求項３】
前記移動通信システムは、さらに、前記特定サービスを示す特定サービス情報が格納される記憶手段を備え、
前記サービス確立制御手段は、前記移動端末から確立要求されたサービスが特定サービスであるか否かを、前記移動端末から確立要求されたサービスを示す特定サービス情報が前記記憶手段に格納されているか否かによって判定する、
請求項１又は２に記載の移動通信システム。 
【請求項４】
前記記憶手段は、さらに、前記特定サービスを示す前記特定サービス情報と関連付けられ、当該特定サービスの提供エリアである前記複数の第２のセルの各々を示す複数のセル情報が格納され、
前記サービス確立制御手段は、前記移動端末から確立要求されたサービスを示す前記特定サービス情報が前記記憶手段に格納されている場合、当該特定サービス情報に関連付けられた前記複数のセル情報の各々が示す前記複数の第２のセルの各々を管理する前記複数の第２の基地局から前記決定手段が前記評価値に基づき決定した前記第２の基地局に前記移動端末がハンドオーバ可能である否かを判定し、ハンドオーバ可能である場合には前記ハンドオーバ制御を行ってから、前記サービス確立制御を行う、
請求項３に記載の移動通信システム。
【請求項５】
前記決定手段は、前記移動端末から確立要求されたサービスを示す特定サービス情報に関連付けられた前記複数のセル情報の各々が示す前記複数の第２のセルのうち無線品質が所定品質以上である第２のセルから前記評価値に基づき第２のセルを一つ決定し、当該第２のセルを管理する第２の無線基地局を前記ハンドオーバ制御におけるハンドオーバ先の第２の無線基地局に決定する、
請求項４に記載の移動通信システム。
【請求項６】
前記移動通信システムは、さらに、前記記憶手段、前記サービス確立制御手段および前記決定手段を有するコアネットワークノードを備え、
前記サービス確立制御手段は、前記サービス確立制御として、前記サービスの確立を要求するサービス確立要求情報を前記第１の無線基地局に送信するとともに、前記移動端末から確立要求されたサービスが特定サービスである場合には、前記サービス確立制御として、前記サービス確立要求情報を前記決定手段が前記評価値に基づき決定した前記第２の無線基地局に送信し、
前記第１の無線基地局は、前記サービス確立制御手段からのサービス確立要求情報に応じて、前記第１のセルにおいて、前記移動端末との間でサービスを確立し、
前記決定手段が前記評価値に基づき決定した前記第２の無線基地局は、前記サービス確立制御手段からのサービス確立要求情報に応じて、自局が管理する第２のセルにおいて、前記移動端末との間でサービスを確立する、
請求項３乃至５のいずれか１項に記載の移動通信システム。
【請求項７】
前記第１の無線基地局は、前記記憶手段、前記サービス確立制御手段および前記決定手段を有し、
前記サービス確立制御手段は、前記サービス確立制御として、前記第１のセルにおいて、前記移動端末との間でサービスを確立するとともに、前記移動端末から確立要求されたサービスが特定サービスである場合には、前記サービス確立制御として、前記決定手段が前記評価値に基づき決定した前記第２の無線基地局に対して前記サービスの確立を要求するサービス確立要求情報を送信させるためのサービス未確立通知情報をコアネットワークノードに送信し、
前記決定手段が前記評価値に基づき決定した前記第２の無線基地局は、前記コアネットワークノードからのサービス確立要求情報に応じて、自局が管理する第２のセルにおいて、前記移動端末との間でサービスを確立する、
請求項３乃至５のいずれか１項に記載の移動通信システム。 
【請求項８】
移動端末からのサービスの確立要求に応じて、第１の無線基地局によって管理される第１のセルにおいて、前記移動端末と前記第１の無線基地局との間でサービスを確立するサービス確立制御を行うサービス確立制御手段と、
前記第１のセルに含まれる複数の第２のセルにおける優先度および負荷状況を評価する評価値に基づき前記第１の無線基地局からのハンドオーバ先の第２の無線基地局を決定する決定手段とを備え、
前記サービス確立制御手段は、前記移動端末から確立要求されたサービスが特定サービスである場合には、前記移動端末の前記第１の無線基地局から前記決定手段が前記評価値に基づき決定した前記第２の無線基地局へのハンドオーバ制御を行ってから、前記第１のセルに含まれて前記第２の無線基地局によって管理される第２のセルにおいて、前記移動端末と前記第２の無線基地局との間でサービスを確立するサービス確立制御を行う、
無線局。 
【請求項９】
移動端末からのサービスの確立要求を受け、
第１の無線基地局によって管理される第１のセルにおいて、前記移動端末と前記第１の無線基地局との間でサービスを確立するサービス確立制御を行い、
前記サービス確立制御を行うときに、前記移動端末から確立要求を受けたサービスが特定サービスである場合には、前記第１のセルに含まれる複数の第２のセルにおける優先度および負荷状況を評価する評価値に基づき前記第１の無線基地局からのハンドオーバ先の第２の無線基地局を決定し、前記移動端末の前記第１の無線基地局から前記第２の無線基地局へのハンドオーバ制御を行ってから、前記第２の無線基地局によって管理される第２のセルにおいて、前記移動端末と前記第２の無線基地局との間でサービスを確立するサービス確立制御を行う、
移動通信制御方法。 
【請求項１０】
移動端末からのサービスの確立要求を受ける処理と、
第１の無線基地局によって管理される第１のセルにおいて、前記移動端末と前記第１の無線基地局との間でサービスを確立するサービス確立制御を行う処理と、をコンピュータに実行させ、
前記サービス確立制御を行う処理では、前記移動端末から確立要求を受けたサービスが特定サービスである場合には、前記第１のセルに含まれる複数の第２のセルにおける優先度および負荷状況を評価する評価値に基づき前記第１の無線基地局からのハンドオーバ先の第２の無線基地局を決定し、前記移動端末の前記第１の無線基地局から前記第２の無線基地局へのハンドオーバ制御を行ってから、前記第２の無線基地局によって管理される第２のセルにおいて、前記移動端末と前記第２の無線基地局との間でサービスを確立するサービス確立制御を行う、
移動通信制御プログラム。
【国際調査報告】
2014013646.tif 000016
2014013646.tif 000017
2014013646.tif 000018
2014013646.tif 000019